(57)【要約】【課題】  ユーザの邪魔になることなく、他の機器へのノイズ対策がなされていない電子機器が装着されても、このような電子機器によって発生するノイズの他の機器への影響を抑制する。【解決手段】  車両に設けられたシガーライターコンセントに挿入するプラグ部１０と、電子機器のシガーライタープラグが挿入される挿入穴部２１が形成されたアダプタ部２０を備え、プラグ部１０に、配線１２ａ、１２ｂに重畳するノイズを低減するフェライトコア３０を内蔵し、プラグ部１０とアダプタ部２０を一体に形成する。【選択図】        図１
2006340575.tif 000002
【特許請求の範囲】
【請求項１】
車両に設けられたシガーライターコンセントに挿入するプラグ部と、電子機器のシガーライタープラグが挿入される挿入穴部が形成されたアダプタ部と、を備えた電源アダプタであって、
前記プラグ部は、前記シガーライターコンセントに装着されたときに、前記シガーライターコンセントの電源端子と接触する第１の電源端子と前記シガーライターコンセントの接地端子と接触する第１の接地端子を有し、
前記アダプタ部は、前記電子機器のシガーライタープラグが前記挿入穴部に装着されたときに、前記シガーライタープラグの電源端子と接触する第２の電源端子と前記シガーライタープラグの接地端子と接触する第２の接地端子を有し、
前記第１の電源端子と前記第２の電源端子間は第１の導電性部材を用いて接続され、前記第１の接地端子と前記第２の接地端子間は、第２の導電性部材を用いて接続されており、
前記第１、第２の導電性部材に重畳するノイズを低減するノイズ低減手段が前記プラグ部に内蔵されており、
前記プラグ部と前記アダプタ部は一体に形成されていることを特徴とする電源アダプタ。
【請求項２】
前記ノイズ低減手段は、前記第１、第２の導電性部材が巻き付けられたフェライトコア型ノイズフィルタを用いて構成されていることを特徴とする請求項１に記載の電源アダプタ。
【請求項３】
前記ノイズ低減手段は、前記第１の導電性部材と前記第２の導電性部材との間に設けられたコンデンサを用いて構成されていることを特徴とする請求項１に記載の電源アダプタ。
【発明の詳細な説明】
【技術分野】
【０００１】
本発明は、車両に設けられたシガーライターコンセントに装着するシガーライタープラグを有する電子機器に、車両に搭載されたバッテリからの電源を供給する電源アダプタに関する。
【背景技術】
【０００２】
従来、車両に設けられたシガーライターコンセントに装着するシガーライタープラグを有し、車両に搭載されたバッテリから供給される電源により作動する各種電子機器が販売されている。
【０００３】
また、このような電子機器として、シガーライタープラグをシガーライターコンセントに装着し、携帯電話の充電と他の電子機器の使用が同時にできるようにした携帯電話用車載充電器がある（例えば、特許文献１参照）。
【特許文献１】特開２００３−１７４７３３号公報
【発明の開示】
【発明が解決しようとする課題】
【０００４】
特許文献１に記載したような携帯電話用車載充電器は、バッテリから供給される電源の電圧（例えば、１２Ｖ〜２４Ｖ）を携帯電話の動作電圧（例えば、５Ｖ）に変換する電源回路を備えている。
【０００５】
このような電源回路を備えた電子機器のシガーライタープラグをシガーライターコンセントに差し込んで使用すると、電源回路がノイズの発生源となりバッテリに接続された他の電子機器にノイズの影響を与えてしまうことが考えられる。したがって、このような電子機器では他の機器へのノイズの影響を低減するようなノイズ対策がなされるのが一般的であるが、製造コストを抑えて安価に販売されている電子機器の中には、他の機器へのノイズ対策がなされていない粗悪なものがある。
【０００６】
図４に、他の機器へのノイズ対策がなされていない携帯電話用充電器から発生したノイズが車両に搭載された複数の車載電子制御装置（ＥＣＵ）間の車内ＬＡＮの信号ラインに干渉している様子を示す。（ａ）は、携帯電話用充電器が接続されていないときの車内ＬＡＮの信号ラインの波形、（ｂ）は、携帯電話用充電器を使用して携帯電話を充電しているときの車内ＬＡＮの信号ラインの波形である。
【０００７】
このように、ノイズ対策がなされていない携帯電話用充電器を使用すると、車内ＬＡＮの信号ラインにノイズが重畳し、車載電子制御装置間の通信が正常に行われなくなる可能性がある。
【０００８】
そこで、図５に示すように、延長ケーブル５１ａにアダプタ５１ｂが付加されたアダプタ付き延長ケーブル５１をシガーライタープラグ５に接続し、延長ケーブル５１ａに市販されているフェライトコア型ノイズフィルタ５２を取り付けることにより、携帯電話用充電器からシガーライタープラグ５側へ回り込むノイズを抑制することが考えられる。
【０００９】
しかし、図５に示すような構成では、延長ケーブル５１ａ、アダプタ５１ｂ、ノイズフィルタ５２がそれぞれ別体で構成されているため、車両のシガーライターコンセントにシガーライタープラグ５を装着した場合、アダプタ付き延長ケーブル５１が車両のシガーライターコンセントから垂れ下がってしまい、邪魔になるといった問題がある。
【００１０】
本発明は、プラグとアダプタを一体化し、かつ、ノイズフィルタを内蔵した電源アダプタを提供することにより上記問題を解決することを目的とする。
【課題を解決するための手段】
【００１１】
上記目的を達成するため、請求項１に記載の発明では、車両に設けられたシガーライターコンセントに挿入するプラグ部と、電子機器のシガーライタープラグが挿入される挿入穴部が形成されたアダプタ部と、を備えた電源アダプタであって、プラグ部は、シガーライターコンセントに装着されたときに、シガーライターコンセントの電源端子と接触する第１の電源端子とシガーライターコンセントの接地端子と接触する第１の接地端子を有し、アダプタ部は、電子機器のシガーライタープラグが挿入穴部に装着されたときに、シガーライタープラグの電源端子と接触する第２の電源端子とシガーライタープラグの接地端子と接触する第２の接地端子を有し、第１の電源端子と第２の電源端子間は第１の導電性部材を用いて接続され、第１の接地端子と第２の接地端子間は、第２の導電性部材を用いて接続されており、第１、第２の導電性部材に重畳するノイズを低減するノイズ低減手段がプラグ部に内蔵されており、プラグ部とアダプタ部は一体に形成されていることを特徴としている。
【００１２】
このように、第１、第２の導電性部材に重畳するノイズを低減するノイズ低減手段がプラグ部に内蔵されており、プラグ部とアダプタ部は一体に形成されているので、ユーザの邪魔になることなく、他の機器へのノイズ対策がなされていない電子機器が装着されても、このような電子機器によって発生するノイズの他の機器への影響を抑制するができる。
【００１３】
また、ノイズ低減手段としては、請求項２に記載の発明のように、第１、第２の導電性部材が巻き付けられたフェライトコア型ノイズフィルタを用いて構成することができ、また、請求項３に記載の発明のように、第１の導電性部材と第２の導電性部材との間に設けられたコンデンサを用いて構成することができる。
【発明を実施するための最良の形態】
【００１４】
（第１実施形態）
本発明の第１実施形態に係る電源アダプタの概略断面構成を図１に示す。電源アダプタ１は、車両に設けられたシガーライターコンセント（図示せず）に挿入するプラグ部１０と、電子機器のシガーライタープラグ４が挿入される挿入穴部２１が形成されたアダプタ部２０を備えている。これらのプラグ部１０とアダプタ部２０は、樹脂製のケースにより一体形成されている。
【００１５】
プラグ部１０は、ケースの先端に設けられた第１の電源端子１１ａおよびケースの側面に設けられた２つの第１の接地端子１１ｂを有している。プラグ部１０を車両のシガーライターコンセントに装着すると、第１の電源端子１１ａはシガーライターコンセントの電源端子と接触し、第１の接地端子１１ｂはシガーライターコンセントの接地端子と接触する。
【００１６】
アダプタ部２０には、電子機器のシガーライタープラグ４が挿入される挿入穴部２１が形成されており、この挿入穴部２１に電子機器のシガーライタープラグ４が装着されるようになっている。
【００１７】
なお、プラグ部１０の外径はシガーライターコンセントの内径よりも若干小さくなっており、アダプタ部２０の挿入穴部２１の内径は電子機器のシガーライタープラグ４の外径よりも若干大きくなっている。
【００１８】
アダプタ部２０は、電子機器のシガーライタープラグ４が挿入穴部２１に装着されたときに、電子機器のシガーライタープラグ４の電源端子４１ａと接触する第２の電源端子２２ａおよび電子機器のシガーライタープラグ４の接地端子４１ｂと接触する第２の接地端子２２ｂを有している。なお、第２の接地端子２２ｂは、挿入穴部２１の内側側壁に設けられた円筒形状の金属板により構成されている。
【００１９】
また、プラグ部１０の内部は中空形状となっており、このプラグ部１０の内部において、プラグ部１０の第１の電源端子１１ａとアダプタ部２０の第２の電源端子２２ａは第１の導電性部材としての配線１２ａを用いて接続され、プラグ部１０の第１の接地端子１１ｂとアダプタ部２０の第２の接地端子２２ｂは第２の導電性部材としての配線１２ｂを用いて接続されている。なお、これらの配線１２ａ、１２ｂと各端子１１ａ、２２ａ、１１ｂ、２２ｂは、それぞれ半田を用いて固定されている。
【００２０】
また、配線１２ａ、１２ｂには、配線１２ａ、１２ｂに重畳するノイズを低減するノイズフィルタとしてフェライトコア型ノイズフィルタ（以下、フェライトコアと記す）３０が取り付けられている。このフェライトコア３０は、中空部を有する同軸形状をなしており、配線１２ａ、１２ｂがこのフェライトコア３０の中空部を通過して同軸状のフェライトコア３０に１回分巻き付けられてノイズフィルタが構成されている。このノイズフィルタにより、配線１２ａ、１２ｂに重畳するノイズを低減し、電子機器によって発生するノイズのシガーライターコンセント側への回り込みを抑制するようになっている。
【００２１】
図２に、本実施形態で用いられる電子機器としての携帯電話用充電器の外観図を示す。この携帯電話用充電器は、携帯電話（図示せず）の充電を行うためのもので、車両のシガーライターコンセントに装着するためのシガーライタープラグ４と、携帯電話に接続するための携帯電話用接続コネクタ４０を備えている。
【００２２】
また、この携帯電話用充電器は、車両に搭載されたバッテリからシガーライタープラグ４を介して供給される電源の電圧（例えば、１２Ｖ〜２４Ｖ）を携帯電話の動作電圧（例えば、５Ｖ）に変換する電源回路を備え、この電源回路によって変換した電圧を携帯電話用接続コネクタ４０へ出力して携帯電話の充電を行う。
【００２３】
上記した構成において、車両に設けられたシガーライターコンセントに電源アダプタ１を取り付けると、アダプタ部２０の第２の電源端子２２ａはシガーライターコンセントを介してバッテリの電源端子に接続され、アダプタ部２０の第２の接地端子２２ｂはシガーライターコンセントを介してバッテリの接地端子に接続される。
【００２４】
このようにシガーライターコンセントに電源アダプタ１を取り付けた状態で、アダプタ部２０の挿入穴部２１に、携帯電話が接続された携帯電話用充電器のシガーライタープラグ４を装着すると、携帯電話用充電器のシガーライターアダプタ４の電源端子４１ａとアダプタ部２０の第２の電源端子２２ａが接続され、シガーライターアダプタ４の接地端子４１ｂとアダプタ部２０の第２の接地端子２２ｂが接続される。そして、携帯電話用充電器により携帯電話の充電が開始される。
【００２５】
ここで、アダプタ部２０の挿入穴部２１に装着された携帯電話用充電器が、他の機器へのノイズ対策がなされていない粗悪なものである場合、携帯電話用充電器からノイズが発生するが、上記ノイズフィルタによりノイズが低減され、シガーライターコンセント側へ回り込むノイズが抑制される。
【００２６】
上記した構成によれば、配線１２ａ、１２ｂに重畳するノイズを低減するフェライトコア３０を内蔵し、プラグ部１０とアダプタ部２０は一体に形成されている。
【００２７】
したがって、ユーザの邪魔になることなく、他の機器へのノイズ対策がなされていない電子機器が装着されても、このような電子機器によって発生するノイズの他の機器への影響を抑制するができる。
【００２８】
また、シガーライターコンセントに電源アダプタ１を取り付けた状態で、アダプタ部２０の挿入穴部２１に電子機器のシガーライタープラグ４を装着することができるので使い勝手がよい。
【００２９】
（第２実施形態）
次に、第２の実施形態に係る電源アダプタの概略断面構成を図２に示す。第１実施形態では、フェライトコア３０を用いてノイズフィルタを構成する例を示したが、本実施形態では、コンデンサを用いてノイズフィルタを構成している点が異なる。
【００３０】
図３に示すように、プラグ部１０の内部において、プラグ部１０の第１の電源端子１１ａとアダプタ部２０の第２の電源端子２２ａは配線１２ａにより接続され、プラグ部１０の第１の接地端子１１ｂとアダプタ部２０の第２の接地端子２２ｂは配線１２ｂにより接続されている。
【００３１】
また、配線１２ａと配線１２ｂとの間には、ノイズ低減手段としてのコンデンサ３１を設けることによりノイズフィルタを構成する。
【００３２】
（他の実施形態）
なお、上記実施形態では、フェライトコア３０やコンデンサ３１を用いてノイズフィルタを構成する例を示したが、例えば、いわゆるπ型フィルタやＴ型フィルタを用いてノイズフィルタを構成してもよい。
【００３３】
また、上記実施形態では、プラグ部１０とアダプタ部２０が、樹脂製のケースにより一体形成された例を示したが、例えば、プラグ部１０とアダプタ部２０を別々に形成し、ネジ、接着剤等を用いてプラグ部１０とアダプタ部２０を固定して一体化してもよい。
【００３４】
また、上記実施形態では、携帯電話用充電器のシガーライタープラグをシガーライターコンセントに装着して携帯電話を充電する例を示したが、携帯電話用充電器に限定されるものではなく、シガーライタープラグを有する各種電子機器をシガーライターコンセントに装着する場合に使用することができる。
【００３５】
また、第２実施形態では、プラグ部１０の第１の電源端子１１ａとアダプタ部２０の第２の電源端子２２ａとの間およびプラグ部１０の第１の接地端子１１ｂとアダプタ部２０の第２の接地端子２２ｂとの間を接続する導電性部材として、それぞれ配線１２ａ、１２ｂを用いた例を示したが、例えば、金属板やプリント配線板に形成された配線パターン等を用いて構成してもよい。
【図面の簡単な説明】
【００３６】
【図１】本発明の第１実施形態における電源アダプタの概略断面構成を示す図である。
【図２】携帯電話用充電器の外観図である。
【図３】本発明の第２実施形態における電源アダプタの概略断面構成を示す図である。
【図４】ノイズ干渉を受けた車内ＬＡＮの信号ラインの波形を示す図である。
【図５】シガーライタープラグにアダプタ付き延長ケーブルを接続した場合のノイズフィルタ付き電源アダプタの構成例を示した図である。
【符号の説明】
【００３７】
１…電源アダプタ、１０…プラグ部、１１ａ…第１の電源端子、
１１ｂ…第１の接地端子、１２ａ、１２ｂ…配線、２０…アダプタ部、
２１…挿入穴部、２２ａ…第２の電源端子、２２ｂ…第２の接地端子、
３０…フェライトコア、３１…コンデンサ、４…シガーライタープラグ。 
【図１】
2006340575.tif 000003
【図２】
2006340575.tif 000004
【図３】
2006340575.tif 000005
【図４】
2006340575.tif 000006
【図５】
2006340575.tif 000007